(57)【要約】【課題】圧縮機の欠相を簡単な回路とソフトウエアで検出する。【解決手段】インバータ駆動手段２に供給される電圧を検出する電圧検出手段４と、その電圧検出手段４によって検出した電圧を基準電圧と比較し、基準値以上か否かを圧縮機３始動前に比較する比較判定手段５と、その比較判定手段５によって電圧が基準値以上の時、圧縮機３の始動動作を停止させる保護動作手段６を備えることで、圧縮機３の欠相を早期かつ確実に検出することが可能となる。【選択図】図１
2005315092.tif 000002
【特許請求の範囲】
【請求項１】
誘導電動機を駆動源とする圧縮機において、前記圧縮機を駆動するインバータ駆動手段と、前記インバータ駆動手段に供給される電圧を検出する電圧検出手段と、前記電圧検出手段によって検出した電圧を基準電圧と比較し、基準値以上か否かを圧縮機始動時に比較する比較判定手段と、前記比較判定手段によって電圧が基準値以上の時、前記圧縮機の動作を停止させる保護動作手段とを備えたことを特徴とした圧縮機制御装置。
【請求項２】
圧縮機始動時より第１の所定時間経過後、前記電圧検出手段で検出された電圧が、基準値以上を第２の所定時間継続した場合に、圧縮機動作を停止させることを特徴とした請求項１記載の圧縮機制御装置。
【請求項３】
保護動作手段で圧縮機を停止させた後、第３の所定時間経過後に圧縮機の再起動を行ない、連続して前記保護動作手段で圧縮機を停止させる動作が所定回数継続した時、圧縮機を停止させ再起動を行なわないことを特徴とした、請求項１または請求項２に記載の圧縮機制御装置。
【発明の詳細な説明】
【技術分野】
【０００１】
本発明は圧縮機の欠相保護を行う制御装置に関するものである。
【背景技術】
【０００２】
従来の圧縮機制御装置は図３に示すように、圧縮機３の各相に流れる電流を電流検出手段８を用いて検出し、規定以上の電流即ち過電流であれば保護動作手段７にて圧縮機３を停止させるといった保護動作を行なう。過電流保護は、圧縮機３の運転周波数領域のみで動作し、運転周波数領域よりも低い始動周波数では動作せず、負荷の大きさによって通電開始から例えば数秒間は圧縮機３の各相に流れる電流の過電流を検出しないものである。即ち圧縮機３の始動が開始されずに、圧縮機３の各相に過電流が流れたとしても、始動が継続し、圧縮機３を確実に始動させることができる制御装置であった。また、三相出力の内、最大電流値が最小電流値の１．２倍以上の値となった場合も同様に圧縮機３を停止させるといった保護動作を行なう相電流アンバランス時の保護動作手段７を備えたものであった（特許文献１参照）。
【０００３】
図４のフローチャートを用いて説明するとＳＴＥＰ１０１にて圧縮機各相に流れる電流を検出、ＳＴＥＰ１０２にて検出した電流値の最小値を図５の方法で求め１．２倍する。ＳＴＥＰ１０３では、検出した電流値の最大値を図６の方法で求め、ＳＴＥＰ１０４にて最大電流値が最小電流値の１．２倍以上の値であるか比較し、最大電流値が最小電流値の１．２倍以上の値であればＳＴＥＰ１０５にて圧縮機停止とし、小さければＳＴＥＰ１０６で次処理へ進むという制御である。
【特許文献１】特開２０００−２４５１９６号公報
【発明の開示】
【発明が解決しようとする課題】
【０００４】
しかしながら、前記従来の構成では、相電流のアンバランス判定をする為に、圧縮機を一定時間安定運転させる必要があり、また運転周波数領域より低い始動回転数では動作しないので部品故障等により当初から欠相状態である場合、欠相判定が早急に行なえない為、制御装置や圧縮機故障の拡大を招く可能性がある。また三相出力の内、最大電流値が最小電流値の１．２倍以上の値を算出するなど、ソフトウエアの構成が複雑になるという課題を有していた。また、各相電流検出を個別に検出する構成となっている為、電流センサが複数必要となりコストアップにつながる課題がある。
【０００５】
本発明は、前記従来の課題を解決するもので、その目的とするところは簡素な回路、ソフトウエアの構成で、部品故障等による欠相検出を早期に行える圧縮機制御装置を提供することにある。
【課題を解決するための手段】
【０００６】
前記従来の課題を解決するために、本発明の圧縮機制御装置は、圧縮機が欠相時には圧縮機が運転しないために負荷電流が増加せず、清浄運転時よりも供給電圧の低下が少ないことに注目し、圧縮機を駆動するインバータ駆動手段と、前記インバータ駆動手段に供給される電圧を検出する電圧検出手段と、前記電圧検出手段によって検出した電圧を基準電圧と比較し、基準値以上か否かを比較する比較判定手段と、前記比較判定手段によって電圧が基準値以上の時、前記圧縮機の動作を停止させる保護動作手段とを備えたものである。
【０００７】
これによって、圧縮機が欠相状態である時は、圧縮機の運転を停止し、不具合を未然に
防ぐことができる。
【発明の効果】
【０００８】
本発明の圧縮機制御装置は、欠相が生じた場合、欠相を早く確実に検出し圧縮機に保護動作をかけることにより欠相による不具合から制御装置や圧縮機の損傷を回避することができる。
【０００９】
また、圧縮機を駆動するインバータ駆動手段に供給される電圧と基準となる電圧を比較するだけであり、複雑な演算を必要としない為、従来よりソフトウエアの構成が簡略化できる。また、圧縮機を駆動するインバータ駆動手段に供給される電圧検出で制御を行なうことで、安価でシンプルな構成が可能となる。
【発明を実施するための最良の形態】
【００１０】
第１の発明は、誘導電動機を駆動源とする圧縮機において、前記圧縮機を駆動するインバータ駆動手段と、前記インバータ駆動手段に供給される電圧を検出する電圧検出手段と、前記電圧検出手段によって検出した電圧を基準電圧と比較し、基準値以上か否かを圧縮機始動時に比較する比較判定手段と、前記比較判定手段によって電圧が基準値以上の時、前記圧縮機の動作を停止させる保護動作手段とを備えることで、圧縮機の欠相を確実に検出することが可能となる。また、インバータ駆動手段に供給される電圧と基準となる電圧を比較するだけである為、複雑な演算がなく従来例よりソフトウエアの構成が簡略化できる。
【００１１】
第２の発明は、特に第１の発明で、圧縮機始動時より第１の所定時間経過後、前記電圧検出手段によるインバータ駆動手段に供給される電圧が、基準値以上を第２の所定時間継続した場合に、圧縮機動作を停止させることで、圧縮機電圧誤検出による不用意な圧縮機停止を防止し、信頼性の高い圧縮機制御装置を得ることができる。
【００１２】
第３の発明は、特に第１または第２の発明で、保護動作手段で圧縮機を停止させた後、第３の所定時間経過後に圧縮機の再起動を行ない、連続して前記保護動作手段で圧縮機を停止させる動作が所定回数継続した時、圧縮機を停止させ再起動を行なわないことで、インバータ駆動手段に供給される電圧誤検出による不用意な圧縮機停止をより確実に防止し、信頼性の高い圧縮機制御装置を得ることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における圧縮機制御装置の構成を示す図である。図１において、直流電源１よりインバータ駆動手段２へ電源が供給され圧縮機３が動作する。以上のように構成された圧縮機制御装置について、以下その動作、作用を説明する。
【００１５】
まず、インバータ駆動手段２へ供給される電圧を検出する電圧検出手段４と、前記電圧検出手段４によって検出した電圧を基準電圧６と比較し、基準値以上か否かを始動時１回のみ判定する比較判定手段５と、前記比較判定手段５によってインバータ駆動手段２へ供給される電圧が基準値以上の時、前記圧縮機３の動作を停止させる保護動作手段７とを備える。
【００１６】
前記の内容を図２のフローチャートを用いて説明すると、最初にＳＴＥＰ１にてインバータ駆動手段２へ供給される電圧を検出、ＳＴＥＰ２にて検出した電圧値を比較し、電圧が基準値より大きければＳＴＥＰ３にて圧縮機停止とし、小さければＳＴＥＰ４で次処理
へ進む。
【００１７】
しかしながら従来例では図４のフローチャートのようにＳＴＥＰ１０１にて圧縮機各相に流れる電流を検出、ＳＴＥＰ１０２にて検出した電流値の最小値を図５の方法で求め１．２倍する。ＳＴＥＰ１０３では、検出した電流値の最大値を図６の方法で求め、ＳＴＥＰ１０４にて最大電流値が最小電流値の１．２倍以上の値であるか比較し、最大電流値が最小電流値の１．２倍以上の値であればＳＴＥＰ１０５にて圧縮機停止とし、小さければＳＴＥＰ１０６で次処理へ進むという制御の為、本発明よりソフトウエアの構成が複雑なものとなる。
【００１８】
以上のように、本実施の形態においては、インバータ駆動手段２へ供給される電圧を検出して基準電圧と比較し、基準電圧値以上か否かを始動時１回のみ判定することにより、従来より構成が簡略化されたソフトウエアで圧縮機欠相を判定することができ、欠相時不具合が生じる前に圧縮機に保護動作をかけることができる。
【００１９】
また、本実施の形態では、図２に示すようにインバータ駆動手段２へ供給される電圧と基準となる電圧を比較するのみで、図４に示す従来のように複雑な演算がないので、ソフトウエアの構造が大幅に簡略化できる。さらにこれによって乗算機能レスの安価なマイクロコンピュターを採用することができ、コスト面で有利な電子制御装置の開発が可能となる。
【００２０】
（実施の形態２）
図１において、圧縮機３が始動時よりだい１の所定時間経過後、前記電圧比較判定手段５による電圧が、基準値以上を第２の所定時間継続した場合に、圧縮機動作を停止させることを特徴とした請求項１記載の圧縮機制御装置となる。
【００２１】
以上のように、本実施の形態においては、インバータ駆動手段２へ供給される電圧誤検出による不用意な圧縮機停止を防止し、信頼性の高い圧縮機制御装置を得ることができる。
【００２２】
（実施の形態３）
図１において、保護動作手段７で圧縮機３を停止させた後、第３の所定時間経過後に圧縮機３の再起動を行ない、連続して前記保護動作手段７で圧縮機３を停止させる動作が所定回数継続した時、圧縮機３を停止させ再起動を行なわないことにより、誤検出による圧縮機停止をより確実に防止し、圧縮機がそのまま動作を継続した場合に生じる不具合を未然に防止できる。
【産業上の利用可能性】
【００２３】
以上のように、本発明にかかる圧縮機制御装置は、圧縮機欠相検出が可能となるので、圧縮機を駆動制御する冷蔵・冷凍機器に広く適用できる。
【図面の簡単な説明】
【００２４】
【図１】本発明の実施の形態１における圧縮機制御装置の構成ブロック図
【図２】本発明の実施の形態１における圧縮機制御装置の欠相検出フローチャート
【図３】従来の圧縮機制御装置の構成ブロック図
【図４】従来の圧縮機制御装置の欠相検出フローチャート
【図５】図４のフローチャートでのＳＴＥＰ１０２の詳細フローチャート
【図６】図４のフローチャートでのＳＴＥＰ１０３の詳細フローチャート
【符号の説明】
【００２５】
１  直流電源
２  インバータ駆動手段
３  圧縮機
４  電圧検出手段
５  比較判定手段
６  基準電圧
７  保護動作手段
８  電流検知装置
【図１】
2005315092.tif 000003
【図２】
2005315092.tif 000004
【図３】
2005315092.tif 000005
【図４】
2005315092.tif 000006
【図５】
2005315092.tif 000007
【図６】
2005315092.tif 000008